(57)【要約】【課題】包装箱の底部の所定位置への配置作業を効率的に行うことにできる緩衝部材を提供することである。【解決手段】矩形状の物体が載置されるべき支持板部１１と、該支持板部１１の各縁辺１１ａ〜１１ｄから下方に続く足板部１２ａ〜１２ｄとによって台状に形成された緩衝部材１０であって、前記支持板部１１の少なくとも２つの角の一方１３ａに接合する第１縁辺１１ａから下方に続く第１足板部１２ａは、該角を越える所定長の第１延長部１２ａａを有し、前記支持板部１１の前記２つの角の他方１３ｂに接合し、前記第１縁辺１１ａと直交する方向に延びる第２縁辺１１ｂから下方に続く第２足板部１２ｂは、当該角を越える所定長の第２延長部１２ｂａを有する構成となる。【選択図】図２
2010195404.tif 000002
【特許請求の範囲】
【請求項１】
物体が載置されるべき矩形状の支持板部と、該支持板部の各縁辺から下方に続く足板部とによって台状に形成された緩衝部材であって、
前記縁辺から下方に続く１つの足板部は該縁辺に接合する一方の角を越える所定長の延長部を有し、かつ、
前記１つの足板部と直交する方向に延びる少なくとも１つの他の足板部が前記延長部を有する緩衝部材。
【請求項２】
前記１つの足板部の延長部と他の足板部の延長部の長さが等しい請求項１記載の緩衝部材。
【請求項３】
前記矩形状の支持板部の各縁辺から下方に続く４つ全ての足板部が前記延長部を有する請求項１または２記載の緩衝部材。
【請求項４】
前記４つ全ての足板部の延長部の前記支持板部からの突出方向が互いに異なる請求項３記載の緩衝部材。
【請求項５】
請求項１乃至請求項４のいずれかに記載の緩衝部材を用いて梱包箱に物体を収容する包装構造であって、
前記緩衝部材を、前記足板部の下端が前記包装箱の底部に当接するとともに前記延長部の先端が前記包装箱の側壁に当接するように配置し、
前記物体が載置されるべき矩形状の支持板部と、該支持板部の各縁辺から下方に続く前記緩衝部材の足板部より背の高い足板部とによって大形状に形成された仕切り部材を、該足板部の下端が前記包装箱の底部に当接するとともに該支持板部と前記緩衝部材の支持板部との間に前記物体の収容空間を形成するように前記緩衝部材上に重ねて配置し、
それぞれの支持板部上に前記物体を複数並べて載置する梱包構造。
【請求項６】
前記仕切り部材として、請求項１乃至４のいずれかに記載の緩衝部材を用いる請求項５記載の梱包構造。
【請求項７】
前記物体がスパウト付きパウチであり、前記支持板部上に部分的に重なるように複数並べて載置される請求項５または６記載の梱包構造。
【発明の詳細な説明】
【技術分野】
【０００１】
本発明は、カートン箱等の包装箱内に収容され、その包装箱に入れられた物体に対する衝撃を緩和する緩衝部材、及びその緩衝部材を用いて物体を包装箱内に収容した梱包構造に関する。
【背景技術】
【０００２】
従来、軟質の医療用容器を複数梱包した医療用容器梱包体が提案されている（特許文献１参照）。この医療用梱包体は、フラップ部（足板部）を有する底板部材（緩衝部材）が包装箱本体の底部に当該フラップ部が当接するように置かれるとともに、前記底板部材のフラップ部より長いフラップ部（足板部）を有する中板部材がそのフラップ部が前記底板部材のフラップ部と包装箱本体の内壁との間に差し込まれて底部に当接するように包装箱本体内に置かれた構造となっている。そして、複数の医療用容器が、中板部材の上板部（支持板部）との間に空隙が形成されるように底板部材の上板部（支持板部）上に重ね置かれ、更に、中板部材の上板部上に複数の医療用容器が重ね置かれる。
【０００３】
このような医療用容器梱包体によれば、中板部材（緩衝部材）上に重ねられた医療用容器の荷重が、底板部材に重ねられた医療用容器にかからないので、その梱包体を落下させた場合に、中板部材に重ねられた医療用容器の荷重が当該中板部材にて吸収され得るようになる。また、底板部材（緩衝部材）上に重ねられた医療用容器と中板部材の上板部（支持板部）との間に空隙が形成されているので、その梱包体を落下させた際に医療用容器の重みで中板部材が変形しても、その中板部材の変形部分が底板部材上に重ねられた医療用容器に達し難い。このため、その落下時において中板部材に重ね置かれた医療用容器の荷重が底板部材にかかることなく、当該底板部材（緩衝部材）上重ねられた医療用容器の荷重が有効に当該底板部材にて吸収され得るようになる。
【先行技術文献】
【特許文献】
【０００４】
【特許文献１】特願２００７−２０７１０号公報
【発明の概要】
【発明が解決しようとする課題】
【０００５】
ところで、前述した医療用容器梱包体では、底板部材としての緩衝部材の各フラップ部（足板部）と包装箱本体の内壁との間に中板部材としての緩衝部材の各フラップ部（足板部）を差し込むようにしなければならないので、前記底板部材としての緩衝部材は、そのフラップ部（足板部）が包装箱本体の内壁に接することなく底部の略中央に配置させなければならない。このため、底板部材としての緩衝部材を底部の略中央に狙いを定めて包装箱本体に入れなければならず、その作業を効率よく行うことが難しい。また、包装箱本体をひっくり返して底側から、中板部材としての緩衝部材を先に入れて底板部材としての緩衝部材を後から入れることも考えられるが、このようにすると、医療用容器を収納した後に包装箱本体をひっくり返す必要がある。このように医療用容器が収容された状態で包装箱本体をひっくり返すと、収容されている医療用容器の配列が乱れてしまう。
【０００６】
本発明は、このような事情に鑑みてなされたもので、包装箱の底部の所定位置への配置作業を効率的に行うことにできる緩衝部材を提供するものである。
【課題を解決するための手段】
【０００７】
本発明に係る緩衝部材は、物体が載置されるべき矩形状の支持板部と、該支持板部の各縁辺から下方に続く足板部とによって台状に形成された緩衝部材であって、
前記縁辺から下方に続く１つの足板部は該縁辺に接合する一方の角を越える所定長の延長部を有し、かつ、
前記１つの足板部と直交する方向に延びる少なくとも１つの他の足板部が前記延長部を有する構成となる。
【０００８】
このような構成により、支持板部の縁辺から続く相互に直交するように延びる足板部が延長部を有するので、矩形状の底部を有する包装箱に当該緩衝部材を入れる際に、それぞれ直交する方向に延びる足板部の延長部の先端を包装箱の直交する内壁にあてがうようにすれば、少なくともその延長部を有する前記足板部と前記包装箱の内壁との間に隙間をもって当該緩衝部材を入れることができるようになる。
【０００９】
また、本発明に係る緩衝部材において、前記１つの足板部の延長部と他の足板部の延長部の長さが等しくなるように構成することができる。
【００１０】
このような構成により、相互に直行する方向に延びる足板部それぞれと包装箱の内壁との間に同じだけの隙間をもって当該緩衝部材を当該包装箱に入れることができる。
【００１１】
更に、本発明に係る緩衝部材は、前記矩形状の支持板部の各縁辺から下方に続く４つ全ての足板部が前記延長部を有する構成とすることができる。
【００１２】
このような構成により、矩形状の支持板部の各辺から下方に続く４つの足板部それぞれの延長部を包装箱の４つの内壁にあてがうようにすれば、包装箱の内壁との間にある隙間をもって当該緩衝部材を入れることができるようになる。
【００１３】
前記４つ全ての足板部の延長部の前記支持板部からの突出方向が互いに異なるものとすることができる。
【００１４】
本発明に係る梱包構造は、前述したいずれかの緩衝部材を用いて梱包箱に物体を収容する包装構造であって、前記緩衝部材を、前記足板部の下端が前記包装箱の底部に当接するとともに前記延長部の先端が前記包装箱の側壁に当接するように配置し、前記物体が載置されるべき矩形状の支持板部と、該支持板部の各縁辺から下方に続く前記緩衝部材の足板部より背の高い足板部とによって大形状に形成された仕切り部材を、該足板部の下端が前記包装箱の底部に当接するとともに該支持板部と前記緩衝部材の支持板部との間に前記物体の収容空間を形成するように前記緩衝部材上に重ねて配置し、それぞれの支持板部上に前記物体を複数並べて載置する構成となる。
【００１５】
本発明に係る梱包構造において、前記仕切り部材として、前述したいずれかの緩衝部材を用いることができる。
【００１６】
また、本発明に係る梱包構造において、前記物体がスパウト付きパウチであり、前記支持板部上に部分的に重なるように複数並べて載置される構造とすることができる。
【発明の効果】
【００１７】
本発明に係る緩衝部材によれば、相互に直交する方向に延びる第２足板部それぞれと前記包装箱の内壁との間に隙間をもって当該緩衝部材を入れることができるようになるので、緩衝部材を、内壁との間に前記隙間が形成されるような、包装箱の底部の所定位置に効率的に配置することができる。
【００１８】
また、本発明に係る梱包構造によれば、緩衝部材と包装箱の内壁との間に隙間ができるので、その隙間に仕切り部材の足板部を入れ込んで当該仕切り部材を前記緩衝部材の上方に容易に重ね配置することができるようになる。その結果、梱包作業を効率的に行うことができるようになる。
【図面の簡単な説明】
【００１９】
【図１】本発明の実施の一形態に係る緩衝部材の外観を示す斜視図である。
【図２】図１に示す緩衝部材を上から見た状態を示す平面図である。
【図３】図１に示す緩衝部材の展開図である。
【図４】図１に示す緩衝部材と該緩衝部材が収容されるカートン箱の矩形状底部との大きさの関係を示す図である。
【図５】図１に示す緩衝部材を用いた梱包体の例を示す分解斜視図である。
【図６】カートン箱に第１緩衝部材が収められた状態を示す平面図である。
【図７】図５に示す梱包体に用いられる第２緩衝部材の外観を示す斜視図である。
【図８】カートン箱に第１緩衝部材と第２緩衝部材とが収められた状態を示す平面図である。
【図９】図５に示す梱包体の断面図である。
【図１０】梱包体内のスパウト付きパウチの他の配列例（その１）を示す分解斜視図である。
【図１１】梱包体内のスパウト付きパウチの他の配列例（その２）を示す分解斜視図である。
【図１２】梱包体内のスパウト付きパウチの他の配列例（その３）を示す分解斜視図である。
【図１３】梱包体内のスパウト付きパウチの他の配列例（その４）を示す分解斜視図である。
【図１４】図１３に示す梱包体における重ねられたパウチの状態を示す図である。
【図１５】図５及び図１０乃至図１３に示す梱包体において第２緩衝部材として用いられる緩衝部材の他の例の外観を示す斜視図である。
【発明を実施するための形態】
【００２０】
以下、本発明の実施の形態について図面を用いて説明する。
【００２１】
本発明の実施の一形態に係る緩衝部材は、図１、図２及び図３に示すように構成される。なお、図１は緩衝部材の外観を示す斜視図であり、図２は緩衝部材を上から見た状態を示す平面図であり、図３は緩衝部材の展開図である。
【００２２】
図１、図２及び図３において、この緩衝部材１０は、例えば、段ボール紙にて形成され、物体が載置される支持板部１１と、支持板部１１を支える４つの足板部、即ち、第１足板部１２ａ、第２足板部１２ｂ、第３足板部１２ｃ及び第４足板部１２ｄとによって台状に形成されている。支持板部１１は、矩形状となり、４つの縁辺、即ち、第１縁辺１１ａ、第２縁辺１１ｂ、第３縁辺１１ｃ及び第４縁辺１１ｄを有している。そして、支持板部１１の第１縁辺１１ａから下方に第１足板部１２ａが続き、第２縁辺１１ｂから下方に第２足板部１２ｂが続き、第３縁辺１１ｃから下方に第３足板部１２ｃが続き、また、第４縁辺１１ｄから下方に第４足板部１２ｄが続いている。
【００２３】
第１足板部１２ａは、支持板部１１の第１縁辺１１ａと第２縁辺１１ｂとが直角に突き当たって形成される第１の角１３ａを越えて所定長Δとなる第１延長部１２ａａを有している。第２足板部１２ｂは、支持板部１１の第２縁辺１１ｂと第３縁辺１１ｃとが直角に突き当たって形成される第２の角１３ｂを越えて所定長Δとなる第２延長部１２ｂａを有している。第３足板部１２ｃは、支持板部１１の第３縁辺１１ｃと第４縁辺１１ｄとが直角に突き当たって形成される第３の角１３ｃを越えて所定長Δとなる第３延長部１２ｃａを有している。また、第４足板部１２ｄは、支持板部１１の第４縁辺１１ｄと第１縁辺１１ａとが直角に突き当たって形成される第４の角１３ｄを越えて所定長Δとなる第４延長部１２ｄａを有している。各足板部１２ａ〜１２ｄの延長部１２ａａ〜１２ｄａの長さΔは、等しく、また、図４に示すように、第１足板部１２ａの延長部１２ａａの先端と第３足板部１２ｃの延長部１２ｃａの先端との間の距離ａが、この緩衝部材１０が収められるカートン箱の矩形状底部の横方向の長さに対応し、第２足板部１２ｂの延長部１２ｂａの先端と第４足板部１２ｄの延長部１２ｄａの先端との間の距離ｂが、緩衝部材１０が収められるカートン箱の矩形状底部の縦方向長さに対応するように設定される。
【００２４】
なお、指を引っ掛けるための孔部１４ａ、１４ｂが、第２縁辺１１ｂを挟んだ支持板部１１と第２足板部１２ｂとの境界部分の所定位置に、第４縁辺１１ｄを挟んだ支持板部１１と第４足板部１２ｄとの境界部分の所定位置に、それぞれ形成されている。これにより、緩衝部材１０のカートン箱への入れ込み及びカートン箱からの取り出しを容易に行えるようになる。
【００２５】
前述したような構造の緩衝部材１０を用いた梱包体の例を図５乃至図９を参照して説明する。
【００２６】
図５において、この梱包体では前述したような構造の第１緩衝部材１０と、前述した構造と異なる構造の第２緩衝部材２０（仕切り部材）とが用いられる。
【００２７】
まず、前述した構造の第１緩衝部材１０が矩形状の底部を有するカートン箱１００（包装箱）に入れられる。第１緩衝部材１０の支持板部１１は、カートン箱１００の底面より小さくなっており、この緩衝部材１０のカートン箱１００への収容は、各足板部１２ａ〜１２ｄの延長部１２ａａ〜１２ｄａの先端がカートン箱１００の内壁に沿うようにしてなされる。そして、第１緩衝部材１０が当該カートン箱１００の底部に達すると、図６に示すように、緩衝部材１０の周辺部、具体的には、第１足板部１２ａ、第２足板部１２ｂ、第３足板部１２ｃ及び第４足板部１２ｄと、カートン箱１００の内壁との間に各延長部１２ａａ〜１２ｄａの長さΔに相当する隙間Ｓが形成される。この状態で、第１緩衝部材１０の支持板部１１はカートン箱１００の底部の中央に配置されている。
【００２８】
図５に戻って、このようにして第１緩衝部材１０がカートン箱１００に収められると、緩衝部材１０の支持板部１１上に複数（例えば、６個）のスパウト付きパウチＰがスパウトの向きを順次変えながら部分的に重なるようにして置かれる。次に、第１緩衝部材１０の各足板部１２ａ〜１２ｄとカートン箱１００の内壁との間の隙間Ｓにその足板部が入り込むように、第２緩衝部材２０がカートン箱１００に収められる。
【００２９】
第２緩衝部材２０は、図７に示すように構成されている。図７において、この第２緩衝部材２０は、例えば、段ボール紙にて形成され、物体が載置される矩形状の支持板部２１と、支持板部２１の第１縁辺２１ａ、第２縁辺２１ｂ、第３縁辺２１ｃ及び第４縁辺２１ｄから下方に続く第１足板部２２ａ、第２足板部２２ｂ、第３足板部２２ｃ及び第４足板部２２ｄとによって台状に形成されている。支持板部２１は、前述した第１緩衝部材１０（図１乃至図３参照）の支持板部１１より大きく、カートン箱１００の底部より小さい。各足板部２２ａ〜２２ｄの高さは、前述した第１緩衝部材１０の各足板部１２ａ〜１２ｄの高さより大きい。そして、第２足板部２２ｂは、支持板部２１の第２縁辺２１ｂの第１縁辺２１ａ側の端（角）まで達しておらず、この第２足板部２２ｂと第１足板部２２ａの一端部との間に第１隙間部２５ａが形成されている。第３足板部２２ｃは、支持板部２１の第３縁辺２１ｃの第２縁辺２１ｂ側の端（角）まで達しておらず、この第３足板部２２ｃと第２足板部２２ｂとの間に第２隙間部２５ｂが形成されている。第４足板部２２ｄは、支持板部２１の第４縁辺２１ｄの第３縁辺２１ｃ側の端（角）まで達しておらず、この第４足板部２２ｄと第３足板部２２ｃとの間に第３隙間部２５ｃが形成されている。また、第１足板部２２ａは、支持板部２１の第１縁辺２１ａの第４縁辺２１ｄ側の端（角）まで達しておらず、この第１足板部２２ａと第４足板部２２ｄとの間に第４隙間部２５ｄが形成されている。
【００３０】
なお、第１緩衝部材１０（図１乃至図３）と同様に、指を引っ掛けるための孔部２４ａ、２４ｂが、第２縁辺２１ｂを挟んだ支持板部２１と第２足板部２２ｂとの境界部分の所定位置に、第４縁辺２１ｄを挟んだ支持板部２１と第４足板部２２ｄとの境界部分の所定位置に、それぞれ形成されている。これにより、第２緩衝部材２０のカートン箱１００への入れ込み及びカートン箱１００からの取り出しを容易に行えるようになる。
【００３１】
前述した構造（図７参照）の第２緩衝部材２０が、図８に示すように、既にカートン箱１００に収められた第１緩衝部材１０の第１足板部１２ａと内壁との間の隙間Ｓに第１足板部２２ａが、第１緩衝部材１０の第２足板部１２ｂと内壁との間の隙間Ｓに第２足板部２２ｂが、第１緩衝部材１０の第３足板部１２ｃと内壁との間の隙間Ｓに第３足板部２２ｃが、第１緩衝部材１０の第４足板部１２ｄと内壁との間の隙間Ｓに第４足板部２２ｄがそれぞれ入り込むようにして、カートン箱１００に収められる。このとき、第２緩衝部材２０の第２足板部２２ｂと第１足板部２２ａとの間の第１隙間部２５ａ、第３足板部２２ｃと第２足板部２２ｂとの間の第２隙間部２５ｂ、第４足板部２２ｄと第３足板部２２ｃとの間の第３隙間部２５ｃ及び第１足板部２２ａと第４足板部２２ｄとの間の第４隙間部２５ｄに、第１緩衝部材１０の第１足板部１２ａの第１延長部１２ａａ、第２足板部１２ｂの第２延長部１２ｂａ、第３足板部１２ｃの第３延長部１２ｃａ及び第４足板部１２ｄの第４延長部１２ｄａが位置するようになり、第２緩衝部材２０の各足板部２２ａ〜２２ｄがカートン箱１００の底部に当接した状態となる。
【００３２】
図５に戻って、このようにして第２緩衝部材２０がカートン箱１００に収められると、第２緩衝部材２０の支持板部２１上に複数（例えば、６個）のスパウト付きパウチＰが部分的に重なるようにして置かれる。更に、第２緩衝部材２０上に載置された複数のスパウト付きパウチＰ上に段ボール紙製の仕切り板４０が置かれ、その仕切り板４０上に複数（例えば、６個）のスパウト付きパウチＰが部分的に重なるように置かれる。最後にカートン箱１００の蓋が閉じられて、図９に示すように、カートン箱１００内にスパウト付きパウチＰが３段重ねにて収納された梱包体が完成する。
【００３３】
このような梱包体では、３段のスパウト付きパウチＰが、第１緩衝部材１０上に１段分、第２緩衝部材２０上に２段分それぞれ分割されて載置されているので、カートン箱１００の落下等の衝撃に対して第１緩衝部材１０及び第２緩衝部材２０は、破損することなく充分耐えることができる。また、第１緩衝部材１０が、４つの足板部１２ａ〜１２ｄで支えられる段ボール紙製の支持板部１１の撓みによって、その１段分のスパウト付きパウチＰに対する衝撃を、第２緩衝部材２０が、４つの足板部２２ａ〜２２ｄで支えられる段ボール紙製の支持板部２２の撓みによって、その２段分のスパウト付きパウチＰに対する衝撃を、それぞれ緩和させる。
【００３４】
前述したような緩衝部材（第１緩衝部材）１０によれば、支持板部１１における第１の角１３ａに接合する第１縁辺１１ａから下方に続く第１足板部１２ａが第１の角１３ａを越えて所定長Δとなる第１延長部１２ａａを有し、第２の角１３ｂに接合する第２縁辺１１ｂから下方に続く第２足板部１２ｂが第２の角１３ｂを越えて所定長Δとなる第２延長部１２ｂａを有し、第３の角１３ｃに接合する第３縁辺１１ｃから下方に続く第３足板部１２ｃが第３の角１３ｃを越えて所定長Δとなる第３延長部１２ｃａを有し、また、第４の角１３ｄに接合する第４縁辺１１ｄから下方に続く第４足板部１２ｄが第４の角１３ｄを越えて所定長となる第４延長部１２ｄａを有するので、矩形状の底部を有するカートン箱１００に当該緩衝部材１０を入れる際に、それぞれ直交する方向に延びる第１足板部１２ａの第１延長部１２ａａ及び第２足板部１２ｂの第２延長部１２ｂａそれぞれの先端、また、それぞれ直交する方向に延びる第３足板部１２ｃの第３延長部１２ｃａ及び第４足板部１２ｄの第４延長部１２ｄａそれぞれの先端をカートン箱１００の４つの内壁にあてがうようにすれば、カートン箱１００の内壁との間にある隙間Ｓをもって当該緩衝部材１０を当該カートン箱１００に入れることができるようになる。即ち、カートン箱１００の底部の中央に緩衝部材１０を配置させることができるようになる。このように、緩衝部材１０をカートン箱１００に入れる際に、各足板部１２ａ〜１２ｄの延長部１２ａａ〜１２ｄａの先端をカートン箱１００の内壁に沿わせるだけで、底部の略中央に狙いを定めて入れる必要がなくなるため、その作業を効率よく行うことができるようになる。
【００３５】
そして、カートン箱１００に収容した第１緩衝部材１０（緩衝部材）の各足板部１２ａ〜１２ｄとカートン箱１００の内壁との間に隙間Ｓが形成されるので、第２緩衝部材２０の足板部２２ａ〜２２ｄをその隙間Ｓに容易に入れることができ、結果として、第２緩衝部材２０のカートン箱１００への収納作業も効率的に行うことができる。
【００３６】
前述した例では、緩衝部材１０（第１緩衝部材）の４つ全ての足板部１２ａ〜１２ｄが延長部１２ａａ〜１２ｄａを有するものであったが、少なくとも直交する方向に延びる２つの足板部が延長部を有するものであればよい。例えば、延長部１２ａａと延長部１２ｂａとの組合せ、延長部１２ａａと延長部１２ｄａとの組合せ、あるいは延長部１２ａａと足板部１２ｄから延長部１２ｄａの反対側に延びる延長部の組み合わせでもよい。その場合、その２つの足板部の延長部の先端をカートン箱１００の内壁に沿わせながら緩衝部材１０を当該カートン箱１００に入れることにより、緩衝部材１０の各足板部１２ａ〜１２ｄとカートン箱１００の内壁との間に隙間Ｓが形成されるようになる。
【００３７】
前述した梱包体におけるスパウト付きパウチＰの配列の他の例が図１０乃至図１３に示される。図１０に示す配列例（その１）では、各段における複数（例えば、６個）のスパウト付きパウチＰは、スパウトの向きが一定方向となって部分的に重なるように配列されている。また、図１１に示す配列例（その２）では、各段において、５個のスパウト付きパウチＰがスパウトを一定方向に向けて部分的に重なるように配列され、３個のパウチＰが前記５個のパウチＰの上に、当該５個のパウチＰの向きに直行する向きにて部分的に重なるように配列されている。更に、図１２に示す配列例（その３）では、３個のスパウト付きパウチＰがスパウトを一定方向に向けて縦方向に部分的に重なるように配列され、その隣に３個のスパウト付きパウチＰが同じようにスパウトを一定方向に向けて縦方向に部分的に重なるように配列されている。また、図１３に示す配列例（その４）では、４個のスパウト付きパウチＰがスパウトの向きを交互に変えながら図１４に示すように部分的に重ねるように配列され、その隣に４個のスパウト付きパウチＰが同じようにスパウトの向きを交互に変えながら部分的に重なるように配列されている。この図１３に示す配列例では、スパウトの向きは２方向になるが、交互に振り替えるだけなので梱包の自動化がし易いものとなる。
【００３８】
また、第２緩衝部材２０として利用可能な緩衝部材は図１５に示すように構成することができる。
【００３９】
図１５において、この緩衝部材３０は、前述した第１緩衝部材１０（図１乃至図３参照）及び第２緩衝部材２０（図７参照）と同様に、物体が載置される矩形状の支持板部３１と、支持板部３１の第１縁辺３１ａ、第２縁辺３１ｂ、第３縁辺３１ｃ及び第４縁辺３１ｄから下方に続く第１足板部３２ａ、第２足板部３２ｂ、第３足板部３２ｃ及び第４足板部３２ｄとによって台状に形成されている。そして、前述した第１緩衝部材１０と同様に、第１足板部３２ａが第１延長部３２ａａを有し、第２足板部３２ｂが第２延長部３２ｂａを有し、第３足板部３２ｃが第３延長部３２ｃａを有し、第４足板部３２ｄが第４延長部３２ｄａを有する。また、前述した第２緩衝部材２０（図７参照）と同様に、第２足板部３２ｂは、支持板部材３１の第２縁辺３１ｂの第１縁辺３１ａ側の端（角）まで達しておらず、この第２足板部３２ｂと第１足板部３２ａとの間に第１隙間部３５ａが形成されている。第３足板部３２ｃは、支持板部３１の第３縁辺３１ｃの第２縁辺３１ｂ側の端（角）まで達しておらず、この第３足板部３２ｃと第２足板部３２ｂとの間に第２隙間部３５ｂが形成されている。第４足板部３２ｄは、支持板部３１の第４縁辺３１ｄの第３縁辺３１ｃ側の端（角）まで達しておらず、この第４足板部３２ｄと第３足板部３２ｃとの間に第３隙間部３５ｃが形成されている。また、第１足板部３２ａは、支持板部３１の第１縁辺３１ａの第４縁辺３１ｄ側の端（角）まで達しておらず、この第１足板部３２ａと第４足板部３２ｄの一端部との間に第４隙間部３５ｄが形成されている。
【００４０】
前記各足板部３２ａ〜３２ｄの延長部３２ａａ〜３２ｄａは、支持板部３１が第１緩衝部材１０の支持板部１１より大きい分、第１緩衝部材１０における各足板部１２ａ〜１２ｄの延長部１２ａａ〜１２ｄａより短い。ただし、第１緩衝部材１０と同様に（図４参照）、第１足板部３２ａの延長部３２ａａの先端と第３足板部３２ｃの延長部３２ｃａの先端との間の距離ａが、この緩衝部材３０が収められるカートン箱１００の矩形状底部の横方向の長さに対応し、第２足板部３２ｂの延長部３２ｂａの先端と第４足板部３２ｄの延長部３２ｄａの先端との間の距離ｂが、緩衝部材３０が収められるカートン箱１００の矩形状底部の縦方向長さに対応するように設定される。
【００４１】
なお、第１緩衝部材１０（図１乃至図３参照）及び第２緩衝部材２０（図７参照）と同様に、指を引っ掛けるための孔部３４ａ、３４ｂが、第２縁辺３１ｂを挟んだ支持板部３１と第２足板部３２ｂとの境界部分の所定位置に、第４縁辺３１ｄを挟んだ支持板部３１と第４足板部３２ｄとの境界部分の所定位置に、それぞれ形成されている。
【００４２】
このような構造の緩衝部材３０を第２緩衝部材として使用する場合、緩衝部材３０をカートン箱１００に入れる際に、各足板部３２ａ〜３２ｄの延長部３２ａａ〜３２ｄａの先端をカートン箱１００の内壁に沿わせるようにして当該カートン箱１００にいれると、自然に各足板部３２ａ〜３２ｄが既に収められている第１緩衝部材１０の各足板部１２ａ〜１２ｄとカートン箱１００の内壁との間の隙間Ｓに入り込んでいく。従って、第２緩衝部材のカートン箱１００への収納をより効率的に行うことができるようになる。更に、この緩衝部材３０の各足板部３２ａ〜３２ｄとカートン箱１００との間に所定の隙間が形成されるようになるので、次の緩衝部材を容易にカートン箱１００に収めることができるようになる。
【００４３】
なお、梱包体において、仕切り板を省略したり、緩衝部材を３つ以上（仕切り部材を２つ以上）重ねたりするなど、組み合わせはスパウト付きパウチ（載置する物体）、カートンの大きさに合わせて適宣選択できる。仕切り部材を２つ以上重ねる場合は、緩衝部材３０のように、本発明の延長部を有する緩衝部材を適用するのが望ましい。
【００４４】
また、各展開図で示したように、平板の４辺を折り曲げて足板部とする簡単な操作で緩衝部材を構成することができ、梱包作業の自動化に寄与することができる。
【産業上の利用可能性】
【００４５】
以上、説明したように、本発明に係る緩衝部材は、包装箱の底部の所定位置への配置作業を効率的に行うことができるという効果を有し、カートン箱等の包装箱内に収容され、その包装箱に入れられた物体に対する衝撃を緩和する緩衝材として有用である。
【符号の説明】
【００４６】
１０  緩衝部材（第１緩衝部材）
２０  第２緩衝部材
３０  緩衝部材
１１、２１、３１  支持板部
１１ａ、２１ａ、３１ａ  第１縁辺
１１ｂ、２１ｂ、３１ｂ  第２縁辺
１１ｃ、２１ｃ、３１ｃ  第３縁辺
１１ｄ、２１ｄ、３１ｄ  第４縁辺
１２ａ、２２ａ、３２ａ  第１足板部
１２ｂ、２２ｂ、３２ｂ  第２足板部
１２ｃ、２２ｃ、３２ｃ  第３足板部
１２ｄ、２２ｄ、３２ｄ  第４足板部
１２ａａ、３２ａａ  第１延長部
１２ｂａ、３２ｂａ  第２延長部
１２ｃａ、３２ｃａ  第３延長部
１２ｄａ、３２ｄａ  第４延長部
１３ａ  第１の角、  １３ｂ  第２の角、  １３ｃ  第３の角、  １３ｄ  第４の角
１４ａ、１４ｂ、２４ａ、２４ｂ、３４ａ、３４ｂ  孔部
２５ａ、３５ａ  第１隙間部
２５ｂ、３５ｂ  第２隙間部
２５ｃ、３５ｃ  第３隙間部
２５ｄ、３５ｄ  第４隙間部
４０  仕切り板
１００  カートン箱（包装箱）
【図１】
2010195404.tif 000003
【図２】
2010195404.tif 000004
【図３】
2010195404.tif 000005
【図４】
2010195404.tif 000006
【図５】
2010195404.tif 000007
【図６】
2010195404.tif 000008
【図７】
2010195404.tif 000009
【図８】
2010195404.tif 000010
【図９】
2010195404.tif 000011
【図１０】
2010195404.tif 000012
【図１１】
2010195404.tif 000013
【図１２】
2010195404.tif 000014
【図１３】
2010195404.tif 000015
【図１４】
2010195404.tif 000016
【図１５】
2010195404.tif 000017